(57)【要約】      （修正有）【課題】改良型ハイバックを提供する。【解決手段】開口部３６はハイバックの上部３２に提供される。開口部に配置されることになる乗り手の脚またはブーツの一部を支持するために、複数のフィラメント３４が開口部３６全体にわたって延びる。このようにして、フィラメント３４は、乗り手がハイバック方向に押した際に、乗り手の脚またはブーツの一部が開口部３６に入るかまたは突き抜けずに支持するのを助け、ライド操作中に乗り手の脚からの力を伝達するのを補助する。フィラメント３４は、乗り手の脚に対する圧点を低減するように、乗り手の脚またはブーツ全体にわたって力を分散させるためにも役立つ。【選択図】図１
0003139536.tif 000002
【実用新案登録請求の範囲】
【請求項１】
乗り手の脚と接触し、滑走ボードによって支持可能な滑走ボード構成部品と共に使用するためのハイバックであって、
脚との接触領域を有する直立支持部材を含むハイバック本体であって、前記脚との接触領域が、使用中に乗り手の脚に接触し、乗り手の脚からの力の伝達に寄与する織物状の材料を含むハイバック本体を備えるハイバック。
【請求項２】
前記支持部材が内部に開口スペースを有し、前記織物状の材料が、前記開口スペースに隣接して配置されることになる前記乗り手の脚の後方領域の一部を支持するために、前記開口スペース全体にわたって延びる、請求項１に記載のハイバック。
【請求項３】
前記開口スペースが前記支持部材の上部に配置される、請求項２に記載のハイバック。
【請求項４】
前記支持部材が、間隔を置いて配置された少なくとも２つの側面支持部であって、それらの間に前記開口スペースが配設される側面支持部を含み、前記織物状の材料が、前記側面支持部に結合され、間にある前記開口スペース全体にわたって張られる、請求項２に記載のハイバック。
【請求項５】
前記支持部材が、前記側面支持部の上端に結合された上部支持部を含み、前記開口スペースが前記上部支持部の下に配設され、前記織物状の材料が前記上部支持部に結合される、請求項４に記載のハイバック。
【請求項６】
前記織物状の材料が前記側面支持部に成形される、請求項４に記載のハイバック。
【請求項７】
前記支持部材が内部に開口部を備えた支持構造を含み、前記織物状の材料が前記支持構造に結合され、前記開口スペース全体にわたって延びる、請求項１に記載のハイバック。
【請求項８】
前記織物状の材料が前記支持構造に成形される、請求項７に記載のハイバック。
【請求項９】
前記支持構造が前記開口スペースの一部の周辺に延びる、請求項７に記載のハイバック。
【請求項１０】
前記支持構造が前記開口スペース全体を取り囲む、請求項９に記載のハイバック。
【請求項１１】
前記織物状の材料が、前記脚との接触領域全体にわたって張られた１つまたは複数のフィラメントを含む、請求項１に記載のハイバック。
【請求項１２】
前記１つまたは複数のフィラメントが、第１の方向に延びる少なくとも１つのフィラメントを含む、請求項１１に記載のハイバック。
【請求項１３】
前記１つまたは複数のフィラメントが、前記第１の方向に直角の第２の方向に延びる少なくとも１つのフィラメントを含む、請求項１２に記載のハイバック。
【請求項１４】
前記第１の方向が前記第２の方向と垂直である、請求項１３に記載のハイバック。
【請求項１５】
前記フィラメントがプラスチック・フィラメントを含む、請求項１１に記載のハイバック。
【請求項１６】
前記フィラメントがモノフィラメントを含む、請求項１１に記載のハイバック。
【請求項１７】
前記織物状の材料が、前記脚との接触領域全体にわたって張られた布地を含む、請求項１に記載のハイバック。
【請求項１８】
前記布地が織り布を含む、請求項１７に記載のハイバック。
【請求項１９】
前記織物状の材料が、前記脚との接触領域全体にわたって張られた布地状の材料を含む、請求項１に記載のハイバック。
【請求項２０】
前記開口スペースが、少なくとも２０ｃｍ２の面積を有する、請求項２に記載のハイバック。
【請求項２１】
前記開口スペースが、少なくとも３０ｃｍ２の面積を有する、請求項２に記載のハイバック。
【請求項２２】
前記開口スペースが、少なくとも４０ｃｍ２の面積を有する、請求項２に記載のハイバック。
【請求項２３】
前記開口スペースが、少なくとも５０ｃｍ２の面積を有する、請求項２に記載のハイバック。
【請求項２４】
前記支持部材が、前記乗り手の脚の後部領域と係合可能な内部表面を含み、前記開口スペースが前記支持部材の内部表面の少なくとも１２％を占める、請求項２に記載のハイバック。
【請求項２５】
前記後部部材が、前記乗り手の脚の後部領域と係合可能な内部表面を含み、前記織物状の材料が内部表面の少なくとも一部を画定する、請求項1に記載のハイバック。
【請求項２６】
前記ハイバックが、スノーボード・ビンディング基部に取り付け可能なスノーボード・ビンディング・ハイバックである、請求項１に記載のハイバック。
【請求項２７】
乗り手の脚の後部領域を支持するための脚との接触領域を有する直立支持部材を含むハイバック本体であって、前記支持部材が、前記脚との接触領域に開口部を有し、使用中に、前記開口部に隣接して配置されることになる前記乗り手の脚の後部領域の一部を支持し、前記領域からの力の伝達を補助するために、前記開口部全体にわたって延びる布地材料を含むハイバック本体を備えるスノーボード・ビンディング・ハイバック。
【請求項２８】
前記開口部が前記支持部材の上部に配置される、請求項２７に記載のスノーボード・ビンディング・ハイバック。
【請求項２９】
前記布地が、力を分散させるように、ならびに前記支持部材と前記乗り手の脚の前記後部領域との間の圧点を低減するように、構成および配置される、請求項２７に記載のスノーボード・ビンディング・ハイバック。
【請求項３０】
前記布地が前記開口部全体にわたって張られる、請求項２７に記載のスノーボード・ビンディング・ハイバック。
【請求項３１】
前記支持部材が、間隔を置いて配置された側面支持部であって、それらの間に前記開口部が配設される側面支持部を含み、前記布地が、前記側面支持部に結合され、前記側面支持部間にある前記開口部全体にわたって張られる、請求項２７に記載のスノーボード・ビンディング・ハイバック。
【請求項３２】
前記支持部材が、前記側面支持部の上端に結合された上部支持部を含み、前記開口部が前記上部支持部の下に配設され、前記布地が前記上部支持部に結合される、請求項２７に記載のスノーボード・ビンディング・ハイバック。
【請求項３３】
前記支持部材が内部に開口部を備えた支持構造を含み、前記布地層が前記支持構造に結合され、前記開口部全体にわたって張られる、請求項２７に記載のスノーボード・ビンディング・ハイバック。
【請求項３４】
前記布地層が前記支持構造に成形される、請求項３３に記載のスノーボード・ビンディング・ハイバック。
【請求項３５】
前記支持構造が前記開口部の一部の周辺に延びる、請求項３３に記載のスノーボード・ビンディング・ハイバック。
【請求項３６】
前記支持構造が前記開口部全体を取り囲む、請求項３５に記載のスノーボード・ビンディング・ハイバック。
【請求項３７】
前記支持部材が、スノーボード・ビンディング基部に取り付け可能な第１のフレームと、前記第１のフレームの上部に結合された第２のフレームとを含み、前記布地が前記第２のフレームに結合される、請求項２７に記載のスノーボード・ビンディング・ハイバック。
【請求項３８】
前記開口部が前記第２のフレーム内に配置される、請求項３７に記載のスノーボード・ビンディング・ハイバック。
【請求項３９】
前記布地材料が織物布地を含む、請求項２７に記載のスノーボード・ビンディング・ハイバック。
【請求項４０】
前記織物布地がメッシュ布地を含む、請求項３９に記載のスノーボード・ビンディング・ハイバック。
【請求項４１】
前記布地が前記開口部全体にわたって張られる、請求項２７に記載のスノーボード・ビンディング・ハイバック。
【請求項４２】
前記開口部が少なくとも２０ｃｍ２の面積を有する、請求項２７に記載のスノーボード・ビンディング・ハイバック。
【請求項４３】
前記開口部が少なくとも３０ｃｍ２の面積を有する、請求項２７に記載のスノーボード・ビンディング・ハイバック。
【請求項４４】
前記開口部が少なくとも４０ｃｍ２の面積を有する、請求項２７に記載のスノーボード・ビンディング・ハイバック。
【請求項４５】
前記開口部が少なくとも５０ｃｍ２の面積を有する、請求項２７に記載のスノーボード・ビンディング・ハイバック。
【請求項４６】
スノーボード・ブーツをスノーボードに固定するためのスノーボード・ビンディングであって、
スノーボードに取り付けられるように構成および配置された基部と、
前記基部に取り付けられるハイバックであって、前記ハイバックが、乗り手の脚の後部領域を支持するための直立支持部材を含み、前記支持部材が内部に開口スペースを有し、前記開口スペース全体にわたって延びる織物状の材料を含み、前記織物状の材料が、使用中に、前記乗り手の前記後部領域の一部によって係合され、前記一部からの力の伝達に寄与するハイバックと
を備えるスノーボード・ビンディング。
【請求項４７】
前記開口スペースが前記支持部材の上部に配置される、請求項４６に記載のスノーボード・ビンディング。
【請求項４８】
前記織物状の材料が１つまたは複数のフィラメントを含む、請求項４６に記載のスノーボード・ビンディング。
【請求項４９】
前記織物状の材料がメッシュ布地を含む、請求項４６に記載のスノーボード・ビンディング。
【請求項５０】
前記メッシュ布地が織物フィラメントを含む、請求項４９に記載のスノーボード・ビンディング。
【請求項５１】
前記織物状の材料が布地状の材料を含む、請求項４６に記載のスノーボード・ビンディング。
【請求項５２】
前記開口スペースが少なくとも２０ｃｍ２の面積を有する、請求項４６に記載のスノーボード・ビンディング。
【請求項５３】
前記開口スペースが少なくとも３０ｃｍ２の面積を有する、請求項４６に記載のスノーボード・ビンディング。
【請求項５４】
前記開口スペースが少なくとも４０ｃｍ２の面積を有する、請求項４６に記載のスノーボード・ビンディング。
【請求項５５】
前記開口スペースが少なくとも５０ｃｍ２の面積を有する、請求項４６に記載のスノーボード・ビンディング。
【請求項５６】
前記支持部材が内部に前記開口スペースを備えた支持構造を含み、前記織物状の材料が前記支持構造に結合され、前記開口スペース全体にわたって張られる、請求項４６に記載のスノーボード・ビンディング。
【請求項５７】
前記織物状の材料が前記支持構造に成形される、請求項５６に記載のスノーボード・ビンディング。
【請求項５８】
前記支持部材が、間隔を置いて配置された側面支持部であって、それらの間に前記開口スペースが配設される側面支持部を含み、前記織物状の材料が、前記側面支持部に結合され、前記側面支持部の間にある前記開口スペース全体にわたって張られる、請求項４６に記載のスノーボード・ビンディング。
【請求項５９】
スノーボード・ブーツを固定するように構成および配置された少なくとも１つの調節可能ストラップをさらに備える、請求項４６に記載のスノーボード・ビンディング。
【考案の詳細な説明】
【技術分野】
【０００１】
本考案は、概して、滑走スポーツ用のハイバックに関し、特に、スノーボーディング用のハイバックに関する。
【背景技術】
【０００２】
ソフト・スノーボード・ブーツ用のスノーボード・ビンディング・システムは、通常、「ハイバック」と呼ばれる（「ローバック」および「ＳＫＹＢＡＣＫ」としても知られる）、すなわち乗り手の脚の後部領域が接触する直立部材を含む。ハイバックは、ビンディングまたはブーツに取り付け可能であり、ボードとの間での直接的な力の伝達を助け、乗り手が脚の動きによってボードを制御できるようにするレバーとして働く。例えば、ハイバックに対して後方に脚を曲げることで、ヒール側ターンを完了させるためにハイバックを通じて働く対応する重量およびバランスの移動を伴い、ボードはそのヒール・エッジを下にして立つ。
【０００３】
周知のハイバックは、一般に、ビンディングまたはブーツの縦軸に対して直角の取り付け軸に沿って、ハイバックを踵からつま先方向に枢動可能に取り付けるために採用される１対の側面耳部と共に形成される直立支持部材を含む。場合によって、ハイバックは、ボードに対するビンディング特定の姿勢の角度に対処するために、ほぼ垂直の軸を中心とした横方向の回転のために取り付けられる場合もある。
【０００４】
周知のハイバックは、通常、複合材料および／またはプラスチック材料から成形される。複合材料から成形されたハイバックは、流線型および軽量であるが、一般に非常に硬い。これに対して、より柔軟性のあるプラスチック材料から成形されたハイバックは、力の伝達のために必要な硬さを提供する、ハイバックに成形された構造的特徴によって、一般に分厚く、相対的に重い。
【考案の開示】
【考案が解決しようとする課題】
【０００５】
本考案の目的は、改良型ハイバックを提供することである。
【課題を解決するための手段】
【０００６】
本考案の１つの例示的実施形態では、ハイバックは、乗り手の脚と接触し、滑走ボードによって支持可能なハイバック滑走ボード構成部品と共に使用するために提供される。ハイバックは、脚との接触領域を有する直立支持部材を含むハイバック本体を備える。脚との接触領域は、使用中に乗り手の脚に接触し、乗り手の脚からの力の伝達に寄与する織物状の材料を含む。
【０００７】
本考案の他の例示的実施形態では、スノーボード・ビンディング・ハイバックは、乗り手の脚の後部領域を支持するための脚との接触領域を有する直立支持部材を含むハイバック本体を備える。支持部材は、脚との接触領域に開口部を有し、使用中に開口部に隣接して配置されることになる乗り手の脚の後部領域の一部を支持し、この部分からの力の伝達を補助するための開口部全体にわたって延びる布地材料を含む。
【０００８】
本考案の他の例示的実施形態では、スノーボード・ブーツをスノーボードに固定するために、スノーボード・ビンディングが提供される。スノーボード・ビンディングは、スノーボードに取り付けられるように構成および配置された基部と、この基部に取り付けられるハイバックとを備える。ハイバックは、乗り手の脚の後部領域を支持するための直立支持部材を含む。支持部材は内部に開口スペースを有し、この開口スペース全体にわたって延びる織物状の材料を含む。織物状の材料は、使用中に乗り手の後部領域の一部によって係合され、この部分からの力の伝達に寄与することになる。
【０００９】
次に、本考案の種々の実施形態について、例として添付の図面を参照しながら説明する。
【考案を実施するための最良の形態】
【００１０】
本考案は、乗り手の脚の動きを通じてスノーボードなどの滑走ボードを制御するためのハイバックを対象とする。ハイバックは、乗り手の脚と接触し、滑走ボードによって支持可能な滑走ボード・ビンディング、ブーツ、またはビンディング・インタフェースなどの構成部品と共に使用することができる。ハイバックは、乗り手の脚の一部分を支持するための直立支持部材から構成される。支持部材は、ハイバックを滑走ボード構成部品に取り付けるための１つまたは複数の取り付け位置を含むことができる。
【００１１】
本考案では、「滑走ボード」とは一般に、乗り手が表面を斜滑降できるようにするスノーボード、スノー・スキー、ウォータ・スキー、ウェイク・ボード、サーフ・ボード、および他のボード・タイプ・デバイスなどの地形に沿って滑走するために特別に構成されたボードを言い表し、「滑走ボード構成部品」とは一般に、乗り手の足または脚と接触可能であり、滑走ボードによって支持可能なビンディング、ブーツ、ビンディング・インタフェース、または他の構成部品を言い表す。
【００１２】
ハイバックは、乗り手の脚の一部を支持するための支持部材の一部全体にわたって延びる織物状の材料を含む。織物状の材料は、ボードとの間での力の伝達のためのレバーとして機能できるようにする支持部を提供する。より詳細には、織物状の材料は、ハイバックの使用中に乗り手の脚から滑走ボードへのエネルギーまたは力の伝達を補助する。織物状の材料なしの場合、ハイバックの力伝達特徴が変化することになり、効果が低くなる可能性がある。この点に関して、織物状の材料は機能的な、単なるうわべだけでないハイバックの構成部品である。
【００１３】
支持部材は、乗り手の脚の一部が接触することになる脚との接触領域を含む。織物状の材料は、力の伝達を補助するように乗り手の脚の一部と直接接触するために、脚との接触領域に提供することができる。
【００１４】
織物状の材料は、少なくとも一部の材料が支持構造に関して効果的に懸垂されるように、脚との接触領域で支持することが可能である。この点に関して、材料は、材料の一部の前および後ろの側面または表面に対して直接の支持がないように、支持することができる。ある実施形態では、織物状の材料は、乗り手の脚を支持するためのハンモック状構成を提供することができる。
【００１５】
支持部材は、その内部に、乗り手の脚またはブーツの一部と直接接触するために開口部全体にわたって延びる織物状の材料と共に、開口スペースまたは開口部を有することができる。開口部は、支持部材を介して延びる穴またはアパーチャ、支持部材内部の開放型空洞またはくぼみ、あるいは、間隔を置いて配置された支持構造間に存在するスペースを含むことができる。織物状の材料は、ライド操作中に滑降ボードを制御するための力を伝達するために、乗り手がハイバック方向に押した際に、開口部を突き抜けずに乗り手の脚またはブーツを支持するのを助けるために、開口部または開口スペース全体にわたって、またはスペースの空けられた支持構造間に張ることが可能である。材料は、乗り手の脚に対する圧点を低減するように、乗り手の脚またはブーツ全体にわたって力を分散させるためにも役立つ。
【００１６】
織物状の材料は、１つまたは複数のフィラメント、布地、または布地の外観および特性を有する布地状の材料を含むことができる。材料は、剛性の構造部材などの支持部材の他の部分に比べて、相対的に柔軟かつしなやかである可能性があるため、材料は、支持および／または快適さを向上させるために、乗り手の脚またはブーツにしっくりなじむ。織物状の材料は、滑走ボードを制御するために乗り手の脚からの力またはエネルギーの伝達にかなり寄与するあるレベルの構造的な支持部も提供する。
【００１７】
１つまたは複数のフィラメントが、脚との接触領域または開口部全体にわたって、１つまたは複数の方向に延びることができる。一実施形態では、１つまたは複数のフィラメントが開口部全体にわたって第１の方向に延び、１つまたは複数のフィラメントが開口部全体にわたって、第１の方向に直角の第２の方向に延びる。しかし、異なる方向に延びるフィラメントが、ハイバックの各実施形態に必要ではないことを理解されたい。また、複数のフィラメントまたはフィラメントのグループを効果的に形成するために、１つのフィラメントが脚との接触領域または開口部全体にわたって１つまたは複数の方向に前後に通ることが可能であることを理解されたい。
【００１８】
フィラメントは、モノフィラメント、マルチフィラメント、織り糸、縫い糸、ひも、コード、およびワイヤを含むが、これらに限定されない種々のフィラメント状構造を採用することが可能である。フィラメントは、プラスチック、金属、および織物材料を含むが、これらに限定されない種々の材料から製造可能である。フィラメントは、強度、弾力性、柔軟性、伸縮性、および／または伸張特徴を含むが、これらに限定されない種々の特徴を提供するように選択することができる。ハイバックは、所望の支持特徴または特性を達成するために、すべて同じ種類のフィラメント、または異なるフィラメントの種々の組み合わせを採用することができる。しかし、ハイバックの各実施形態には必ずしもフィラメントの使用が必要ではないことを理解されたい。
【００１９】
織物状の材料は、乗り手の脚を支持するために支持部材に結合された布地を含むことができる。布地は、織物、非織物、編み物、または編み組などの織物布地を含むことができる。布地は、布地に仕上げられた１つまたは複数のフィラメントを含むことができる。一実施形態では、布地はメッシュ布地とすることができる。しかし、ハイバックの各実施形態には必ずしもメッシュ布地の使用が必要ではないことを理解されたい。
【００２０】
織物状の材料は、乗り手の脚を支持するために支持部材に結合された布地状の材料を含むことができる。布地状の材料は、織物布地の外観および特性を有することができる。この点に関して、布地状の材料は、織物布地と同様の柔軟性、しなやかさ、および支持的な特性を有することができる。例えば、織物状の材料は、成形済み布地状の材料または微細な穴の開いた網を含むことができる。しかし、ハイバックの各実施形態には必ずしも布地状の材料の使用が必要ではないことを理解されたい。
【００２１】
織物状の材料は、種々の取り付けまたは固定技法を使用して、支持部材に結合することができる。こうした技法は、成形、接着、接合、ステープル留め、縫合、ひも締め、および糸張りを含むことができるが、これらに限定されない。一実施形態では、材料はハイバックの一部に対してオーバーモールドされる。
【００２２】
ハイバック全体の重量を低減するために、ハイバックに開口部または開口スペースを提供することができる。開口部のサイズは、削減する重量およびハイバックにとって望ましい構造上の支持の程度によって異なる場合がある。一実施形態では、開口部の面積は少なくとも２０ｃｍ２である。しかし、ハイバックの各実施形態には必ずしもこうした最小面積を有する開口部が必要ではないこと、および、他のサイズを有する開口部が企図されることを理解されたい。
【００２３】
ハイバックは、力を伝達するために乗り手の脚および／またはブーツの後部によって係合される内部表面を有する。一実施形態では、開口部はハイバックの内部表面積の少なくとも１２％である。しかし、ハイバックの各実施形態には必ずしも内部表面積に対する開口部のこの特定の比率が必要でないこと、および他の比率が企図されることを理解されたい。
【００２４】
図１〜図４に示された１つの例示的実施形態では、ハイバック２０は、直立支持部材２２と、支持部材の両側に配設された１対の側面耳部２４とを含む。側面耳部２４は、ハイバックを、スノーボード・ビンディング、スノーボード・ブーツ、またはビンディング・インタフェースなどの滑走ボード構成部品に取り付けるために採用可能な取り付け位置２６を提供する。側面耳部２４は、ハイバック用の特定の取り付け構成に好適な任意の形状を有するように構成することができる。
【００２５】
支持部材２２は、好ましくは、乗り手の脚の形状（ライドの適用例に応じて、ブーツなどの履物有りまたはなし）に適合する輪郭構成を有する。支持部材２２は、ブーツのヒール部分をつかんで保持するように構成されたヒール・カップ３０を備えた下部２８を含むことができる。図に示されるように、側面耳部はヒール・カップ３０の両側から延びる。支持部材２２は、ボードを回転および制御するための支持を提供するために、乗り手の脚のある領域に沿って延びるように、またはこの領域と接触するように構成された上部３２も含むことができる。
【００２６】
ハイバックは、乗り手の足の一部を支持するために支持部材の脚との接触領域または部分全体にわたって延びる織物状の材料を含むことができる。図１〜図２に示された１つの例示的実施形態では、織物状の材料は、乗り手の足の後部領域の一部と直接接触し、これを支持するために、ハイバックの上部３２全体にわたって延びる複数のフィラメント３４を含む。フィラメント３４は、ハイバックがボードとの間で力を伝達するためのレバーとして機能できるようにする乗り手の脚のための支持を提供する。このようにして、フィラメントは、使用中の乗り手の脚から滑走ボードへの力またはエネルギーの伝達にかなり寄与する。
【００２７】
ハイバック２０には、ハイバック全体の重量を低減するために、１つまたは複数の開口スペースまたは開口部を提供することができる。図１〜図５に示された一実施形態では、開口部３６はハイバックの上部３２に提供される。開口部に配置されることになる乗り手の脚またはブーツの一部を支持するために、複数のフィラメント３４が開口部３６全体にわたって延びる。このようにして、フィラメント３４は、乗り手がハイバック方向に押した際に、乗り手の脚またはブーツの一部が開口部３６に入るかまたは突き抜けずに支持するのを助け、ライド操作中に乗り手の脚からの力を伝達するのを補助する。フィラメント３４は、乗り手の脚に対する圧点を低減するように、乗り手の脚またはブーツ全体にわたって力を分散させるためにも役立つ。
【００２８】
図に示されるように、開口部は、アパーチャまたは穴を形成するように、ハイバックの上部を完全に通って延びることができる。しかし、開口部はハイバックを完全に通って延びなくてもよく、空洞、くぼみ、または、機構の開放端全体にわたって延びる織物状の材料を備えた開放端を有する同様の機構を含むことができることを理解されたい。
【００２９】
フィラメント３４は、開口部３６全体にわたって１つまたは複数の方向に延びることができる。１つの例示的実施形態では、フィラメントは、開口部全体にわたって第１の方向３８に延びる１つまたは複数のフィラメントと、開口部全体にわたって第１の方向と直角の第２の方向４０に延びる１つまたは複数のフィラメントとを含む。図に示されるように、フィラメントは互いに直交する方向で、開口部全体にわたって延びることができる。しかし、フィラメント３４は、開口部全体にわたって垂直、水平、または斜めなどの単一の方向に延びるフィラメントを含むことができることを理解されたい。フィラメントは、また、開口部全体にわたって任意の所望の直交方向に延びることができることも理解されたい。また、複数のフィラメントまたはフィラメント・グループを効果的に形成するために、１つのフィラメントが、脚の接触領域または開口部全体にわたって１つまたは複数の方向に前後に延びることができることを理解されたい。
【００３０】
ハイバック２０は、１つまたは複数のフィラメント、布地、または乗り手の脚を支持するために支持部材に組み込まれた布地状の材料を採用することができる。１つの例示的実施形態では、１枚または１層の布地４２が支持部材２２に結合され、乗り手に支持を提供するために開口部３６全体にわたって延びる。布地は複数のフィラメント３４から製造することができる。布地４２は、織物、編み物、編み組、非織物などの技法を含むがこれらに限定されない種々の技法を使用して形成することができる。一実施形態では、ハイバックはメッシュ布地を採用する。ハイバックは、異なる場所で異なる支持特徴を提供するために、種々の布地パターンおよび／またはフィラメントを採用することができる。
【００３１】
布地４２は、特定の適用例に好適な、強度、耐引き裂き性、耐摩耗性、耐水性、および耐ＵＶ性などの特性を含むが、これらに限定されない、１つまたは複数の特性を有することができる。
【００３２】
１つの例示的実施形態では、メッシュ布地４２が、ナイロンＰＡ６（ポリアミド）モノフィラメントから織られる。しかし、布地４２または個々のフィラメント３４は、マルチフィラメント、織り糸、縫い糸、ひも、コード、およびワイヤを含むが、これらに限定されない他のフィラメント状構造を採用することができる。フィラメント３４は、プラスチック、金属、および織物材料を含むが、これらに限定されない種々の材料から製造することができる。ハイバックは、所望の支持特徴または特性を達成するために、すべて同じタイプのフィラメント、または異なるフィラメントの種々の組み合わせを採用することができる。
【００３３】
上記のように、ハイバックには、ハイバック全体の重量を低減するために、１つまたは複数の開口部を提供することができる。開口部のサイズは、削減する重量およびハイバックにとって望ましい構造上の支持の程度によって異なる場合がある。
【００３４】
図１〜図５に示された例示的実施形態では、開口部３６が相対的に大きく、それ以外の方法で乗り手の脚を支持するために使用可能な支持部材の内部表面の大部分を除去している。フィラメント３４または布地４２は、ハイバックのその領域に印加される力の伝達を補助するために、開口部３６全体にわたって張ることができる。一実施形態では、フィラメント３４は、支持部材の内部表面の連続性を形成するために、開口部３６全体にわたって延びる。このようにして、フィラメント３４は、乗り手の脚を係合および支持するためのハイバックの内部表面の一部として機能する。
【００３５】
１つの例示的実施形態では、ハイバック２０は、少なくとも２０ｃｍ２の面積を有する開口部３６全体にわたる支持として織物状の材料を採用する。他の実施形態では、開口部の面積は少なくとも２５ｃｍ２である。他の実施形態では、開口部の面積は少なくとも３０ｃｍ２である。他の実施形態では、開口部は少なくとも３５ｃｍ２の面積を有する。他の実施形態では、開口部の面積は少なくとも４０ｃｍ２である。他の実施形態では、開口部の面積は少なくとも４５ｃｍ２である。他の実施形態では、開口部は少なくとも５０ｃｍ２の面積を有する。他の実施形態では、開口部は少なくとも６０ｃｍ２の面積を有する。しかし、ハイバック２０は、他の最低面積を有する開口部全体にわたる支持としてフィラメント３４が採用可能であること、および、他のサイズを有する開口部が企図されることを理解されたい。
【００３６】
１つの例示的実施形態では、ハイバックは、内部表面積の少なくとも１２％を占める開口部全体にわたる支持として織物状の材料を採用する。他の実施形態では、開口部は内部表面積の少なくとも１５％を占める。他の実施形態では、開口部は内部表面積の少なくとも１９％を占める。他の実施形態では、開口部は内部表面積の少なくとも２２％を占める。他の実施形態では、開口部は内部表面積の少なくとも２５％を占める。他の実施形態では、開口部は内部表面積の少なくとも２８％を占める。他の実施形態では、開口部は内部表面積の少なくとも３１％を占める。他の実施形態では、開口部は内部表面積の少なくとも３８％を占める。ハイバックの内部表面積に対する開口部３６の比率を決定する場合、内部表面積は、ヒール・フープ３０および後部部材２２の上部３２の内部表面積と、ハイバックの後部部材内の任意の開口部３６の面積とを含む。しかし、ハイバックの各実施形態についてこれらの内部表面積に対する開口部の最低比率が限定されないこと、および他の比率が企図されることを理解されたい。
【００３７】
ハイバック２０は、ハイバックを形成するために組み合わされる単一の支持構造または複数の構造を含むことができる。図１〜図４に示される１つの例示的実施形態では、ハイバックは、第１または下部フレーム４３と、第１フレーム４３に取り付けられた第２または上部フレーム４４とを含む。下部フレーム４３は、滑走ボード構成部品に取り付けられるように構成される。上部フレーム４４は、乗り手の脚によって係合され、これを支持するハイバックの上部３２の一部を形成するように構成される。ある実施形態では、上部フレームは湾曲または凹型の接触表面を形成する。
【００３８】
図２に最も良く示される１つの例示的実施形態では、下部フレーム４３はヒール・カップ３０およびヒール・カップの両側から延びる側面耳部２４を含む。下部フレーム４３は、上部フレーム４４を支持し、上部フレームに印加される力を滑走ボード構成部品に伝達するように構成された上方に延びる背部構造４６も含む。背部構造４６を上部フレーム４４と組み合わせて、ハイバックの上部３２を形成する。
【００３９】
１つの例示的実施形態では、背部４６は、ハイバックの垂直方向に沿った漸進的柔軟性をハイバックに提供するように構成される。この点に関して、ハイバックは、その上端では高い柔軟性を有し、下端では柔軟性の程度が減少するように構成される。図に示されるように、背部４６は、背部の基底部分５２から上方に延びる背部の中央部分または主要部５０から上方に延びる１対の細長い指部または枝部４８を含む。図に示されるように、相対的に狭く柔軟な枝部４８は、より広くより剛性の主要部５０へと移行し、この主要部がさらに広くより剛性の基部５２に移行する。このようにして、背部４６の柔軟性は、枝部から主要部へ、さらに背部の基部へと漸進的に減少する。
【００４０】
図に示されるように、枝部４８は、上部フレーム４４の上部領域を支持するように構成される。背部の基部５２は、上部フレームの下部領域を支持するように構成される。
【００４１】
上部フレーム４４は、フィラメントを支持するための１つまたは複数のフレーム部材を含むことができる。図５に最も良く示される一実施形態では、上部フレーム４４は、１対の側面部材５４、上部部材５６、および下部部材５８を含む。図に示されるように、上部および下部の部材５６、５８は側面部材５４の端部に接続され、開口部３６を取り囲む額縁状構成を形成する。上部フレーム４４は、開口部３６を完全に包含しないかまたは取り囲まないように構成可能であることを理解されたい。例えば、上部フレーム４４は側面部材５４のみを含むことが可能であるか、または上部フレームは、下部部材５８または上部部材５６のいずれかに接続された側面部材５４を含むことが可能である。
【００４２】
例示的実施形態では、上部フレーム４４は、単一の単体構造として形成される。しかし、側面、上部、および／または下部の別々の部材をまとめて取り付けるか、または接続し、上部フレームを形成できることを理解されたい。
【００４３】
１つの例示的実施形態では、上部フレーム４４は、機械的留め具を使用して下部フレーム４３に取り付けられる。図に示されるように、上部フレーム４４の各コーナ領域は、留め具によって下部フレームの背部４６に固定される。図２に最も良く示される一実施形態では、留め具は、フレーム４３、４４をまとめて締め付けるリベット６０およびワッシャ６２を含む。しかし、当業者であれば明らかなように、上部フレーム４４は、任意の好適な構成を使用して下部フレーム４３に取り付け可能であることを理解されたい。
【００４４】
図３に最も良く示される１つの例示的実施形態では、ハイバック２０は、上部フレーム４４が、背部３６に対して間隔を開けた、または懸垂された構成で、織物状の材料をサポートするように構成される。この構成により、所望であれば、背部からの干渉なしに材料を曲げるか、または後方にそらせることができる。このようにして、ハイバック２０は、ハイバックの快適さを向上させることができる織物状の材料を支持するためのハンモック状構成を採用する。
【００４５】
保持性を高めるため、衝撃を吸収するため、およびブーツおよび脚全体にわたる圧力の分散を容易にするために、弾力パッドを提供することができる。図１〜図２に示される１つの例示的実施形態では、ハイバックの上部縁に沿ってパッド６４が提供される。
【００４６】
ハイバック２０は、下部２８とは独立にハイバックの前方傾斜を調節できるよう、上部３２が踵からつま先の方向に調節できるように構成可能である。より詳細には、ハイバックの前方傾斜は、ハイバックの取り付け軸を中心とした下部２８の付随する動きなしに調節することができる。したがって、下部２８は、周知のハイバックの前方傾斜調節に関連付けられる下部２８の上下および枢動運動を調節するようにヒール・カップを構成する必要がないため、ヒールの押さえを向上させるためのブーツの形状に緊密に適合したヒール・カップ３０を含むことができる。
【００４７】
図１〜図２に示される１つの例示的実施形態では、ハイバック２０は、下部２８に対する上部３２の枢動、回転、またはそれ以外の曲げを可能にするヒンジ構成を含む。しかし、上部は、所望であれば、任意の好適な構成を使用して、下部によって調節可能なように支持されることが可能であることを理解されたい。
【００４８】
１つの例示的実施形態では、上部３２は、ハイバックの下部フレームに一体的に形成された活ヒンジ６６構成を使用して、下部２８に可動式に接続される。活ヒンジ６６は、背部４６と下部２８とを相互接続する下部フレームの両側縁部の部分ごとに、スロット６８の各端部に形成される。背部４６および下部２８は、前方傾斜調節を容易にするために、背部、すなわち上部が、下部に対して枢動または他の方法で移動できるようにするピン、リベット、ブラケットなどの機械的留め具を使用して互いにヒンジ接続できることを理解されたい。独立した前方傾斜調節を伴うハイバックの例は、参照により本明細書に組み込むものとする、米国特許第６，５５４，２９６号に開示されている。
【００４９】
ハイバック２０の前方傾斜は、上部が所定の前方傾斜位置を越えてヒール方向に移動するのを防ぐ、前方傾斜調節装置を使用して設定することができる。図３〜図４に最も良く示される１つの例示的実施形態では、下部２８に対して選択された前方傾斜位置に上部３２を維持するために、前方傾斜調節装置７０がハイバックの上部３２に結合される。ハイバックは、道具を使用せず、手でノブまたはホイールなどのアクチュエータを単に回転または旋回させることによって、乗り手が前方傾斜を調節できるようにするねじタイプの傾斜調節装置７０を採用する。図に示されるように、前方傾斜調節装置７０は下部フレーム４３上に提供され、背部４６をフレームの下部２８に調節可能なように結合する。ハイバックの前方傾斜を調節するために、米国特許第６，５５４，２９６号に開示されたような他の構成が採用可能であることを理解されたい。
【００５０】
乗り手が脚の動きを通じてボードを制御できるようにするハイバックを介して、ボードとの間で力が伝達される。図３〜図４に最も良く示されるような１つの例示的実施形態では、後部部材の下部２８は、ハイバックからビンディングに力を伝達するために、スノーボード・ビンディング・ヒール・フープなどの滑走ボード構成部品ビンディングの一部を係合するように構成された後方に延びる連接部７２を含む。前方傾斜調節装置７０は、後部部材の上部３２に対して働く力が、前方傾斜調節装置７０を通じて連接部７２へ、さらにヒール・フープへと、少なくとも部分的に伝達されるように、連接部７２に接続される。
【００５１】
上部および下部のフレーム４４、４３は、プラスチック材料から射出成形することができる。一実施形態では、上部および下部のフレーム４４、４３は、その後ハイバックを生成するために結合される別の単体構造として成形される。別の方法として、ハイバック２０を単体構造として製造することも可能である。
【００５２】
１つの例示的実施形態では、布地４２が上部フレーム４４に成形される。より詳細には、布地４２は、上部フレームの製造時にオーバーモールドされる。図５に示されるように、上部フレーム４４は、内側オーバーモールド・フレーム７４および外側オーバーモールド・フレーム７６を含む。布地４２の層は、初期に内側オーバーモールド・フレーム７４にオーバーモールドされ、その後これが、外側オーバーモールド・フレーム７６にオーバオールドされる。この点で、布地４２は、内側オーバーモールド・フレーム・サブアセンブリを形成するために材料を射出することが可能な第１の成形部内に伸張および保持することができる。初期の成形プロセスの後、内側オーバーモールド・フレーム・サブアセンブリを、内部フレームおよび布地の周囲に外部フレームを形成するために材料を射出することができる第２の成形部内に配置することが可能であり、結果として、上部フレーム４４が形成される。
【００５３】
他の取り付けまたは留め技法を使用して、織物状の材料を支持部材に結合できることを理解されたい。例えば、ハイバックが単一のフレーム構造を含む場合、材料を上部フレーム４４または後部部材２２に接着、接合、ステープル留め、縫合、またはひも締めすることが可能である。個々のフィラメント３４が開口部全体にわたる支持として使用される場合、フィラメントは、テニス・ラケットなどのラケットの糸張りと同様に、糸張りまたはひも締めすることができる。
【００５４】
ハイバック２０は、乗り手からボードへの効率的な力の伝達を提供することが可能なナイロン、ポリカーボネート、ポリウレタン、ポリオレフィン、ポリウレタンなどのプラスチック材料を含む任意の好適な材料で形成することができる。一実施形態では、下部フレーム４３は、ＤｕＰｏｎｔ社から市販されているＺＹＴＥＬなどのナイロン材料から製造される。一実施形態では、上部フレーム４４はナイロン材料から製造される。より詳細には、内側オーバーモールド・フレーム７４は、ＺＹＴＥＬ  ＳＴ８０１などのナイロン樹脂から製造され、外側オーバーモールド・フレーム７６は、ＺＹＴＥＬ  ８０Ｇ３３などのガラス繊維強化ナイロン樹脂から製造される。
【００５５】
ハイバック・フレーム４３、３３は、ハイバック全体を通じて様々な度合いの剛性を提供するために、２つまたはそれ以上の材料から形成可能であることも企図される。
【００５６】
上記でいくつかの例について説明したが、ハイバックは、当業者にとって明らかなように、任意の好適な製造プロセスを使用して、任意の好適な材料で製造できることを理解されたい。
【００５７】
上記のように、織物状の材料のための支持構造は、開口部３６または開口部全体にわたって延びる材料を完全に取り囲む必要はない。図６〜図７に示された他の例示的実施形態では、ハイバック８０は、ハイバックの上部側面を形成する１対の上方に延びる側面支持部８２を含む。図に示されるように、支持部８２は、その間の開口部またはスペース８４によって間隔を開けて配置される。１つまたは複数のフィラメント３４または布地４２を支持部８２に結合させ、乗り手の脚を支持するために開口部８４全体にわたって張ることができる。ハイバックは、乗り手の脚および／またはブーツに、吊り鎖またはハンモック状の支持部を提供する。
【００５８】
図に示されるように、ハイバック８０は、周知のハイバックのようなプラスチック材料によって形成されるヒール・カップを含まない。その代わりに、織物状の材料がハイバックの下部へと延び、乗り手の踵をサポートする。この点に関して、布地４２または他の織物状の材料の下部領域８４が、ブーツのヒール部分を保持するためのヒール・カップとしての働きをする。所望であれば、布地の下端にヒール押さえパッド８６を提供することができる。
【００５９】
乗り手が、ハイバックのフィラメントまたは布地支持部によって提供される支持部の量を調節できるようにすることが望ましい場合がある。図７に示されたような１つの例示的実施形態では、ハイバック８０は、乗り手が布地４２または他の織物状の材料の張りの量を所望量の支持部に調節できるようにする伸張装置８８を含む。張りの調節によって、乗り手は、乗り手特有のライド・スタイルに合わせて、ハイバックによって提供される所望量の支持部を選択することができる。この点に関して、布地４２またはフィラメント３４によって提供される支持部の量を調節することにより、乗り手は、ハイバックの反応性および／または快適さを調節できるようになる。例えば、張りを緩くすることによって、乗り手のブーツまたは脚を受け入れるために布地が深いカップ型となるようにすることが可能であるのに対して、張りを強くすることによって、布地をより浅い、より支持性の高い構成にすることができる。しかし、ハイバックには、必ずしも伸張装置が必要でないことを理解されたい。
【００６０】
例示的実施形態に示されるように、支持部布地４２の上端は構造的な交差部材によって支持されていない。この構成により、乗り手にとって望ましい可能性のあるより高度な快適さおよび／または柔軟性を提供することができる。このハイバック構成は、ハイバックの幅が対応する方法で調節可能な幅調節可能ビンディングと共に使用するのに好適な可能性もある。ハイバックの幅が調節されると、伸張装置８８によって布地の張りも調節することができる。
【００６１】
追加の支持が望ましい場合、ハイバック８０は、側面支持部８２の上端と相互に接続され、布地４２に結合された上部支持部材９０（想像線で図示）を含むことができる。
【００６２】
ハイバック２０は、脚の支持が有益となるスノーボーディングなどの任意の滑走ボード活動で採用可能である。しかし、次に、理解しやすいように、および本考案の範囲を制限することのないように、スノーボード・ビンディングとの関連においてハイバックについて説明する。
【００６３】
図３〜図４に示された例示的実施形態では、スノーボード・ビンディング１００は、スノーボード１０４に取り付け可能な基部１０２と、ブーツ（図示せず）をスノーボードに固定するために基部に取り付けられる１つまたは複数のビンディング・ストラップ、好ましくは調節可能ストラップとを含むことができる。ハイバック２０は、基部１０２に枢動可能に取り付けられる。例示されているように、ビンディング１００は、乗り手の踵を押さえるためにブーツの足首部分全体にわたって延びる足首ストラップ１０６と、ブーツの前方部分全体にわたって延び、この部分を押さえるつま先ストラップ１０８とを含むことができる。しかし、ビンディング１００は他のストラップ構成も採用可能であることを理解されたい。
【００６４】
図６〜図７に示された他の例示的実施形態では、スノーボード・ビンディング１１０は、ヒール・フープのない基部１１２を含むことができる。ハイバックの側面支持部８２は、基部１１２に枢動可能に取り付けられる。側面支持部８２と基部１１２との間の相互作用を通じて、乗り手との間で力が伝達される。基部の両側面を互いに近づけるかまたは離すように調節することによって、特定サイズの乗り手の足またはブーツに適合するように、基部の幅を調節することができる。ハイバック８０は１対の剛性の側面支持部８２を含み、それらの間には上部および下部の構造的支持部が存在しないため、ハイバックの幅は基部に沿って調節することができる。特定幅のハイバックを収容するように、側面支持部間の布地支持部の張りを調節することができる。
【００６５】
しかし、ハイバックは特定タイプのビンディングと共に使用することに限定されない。例えば、ハイバックは、基部のないビンディングと共に使用することができる。ハイバックは、スノーボード・ブーツ上に直接または間接的に提供された対応する機構を係合するロック機構を含むステップイン・スノーボード・ビンディングを使用して実施することもできる。ハイバックを組み込むことが可能ないくつかのステップイン・ビンディングの例は、参照により本明細書に組み込むものとする、米国特許第５，７２２，６８０号および第６，１２３，３５４号に記載される。
【００６６】
他の態様では、ハイバックは、スノーボード・ブーツに永続的に取り付けられるか、または取り外すことが可能である。取り外し可能ハイバックは、ビンディング底板に取り付けられたハイバックをすでに含むビンディング・システムを用いてブーツを実施できることによって、システムに柔軟性を与える。他の態様では、ハイバックは、ブーツをビンディングに接触させるための着脱可能なビンディング・インタフェース・システムを用いて実施することができる。ブーツ上で、または着脱可能なビンディング・インタフェース・システムと共に、ハイバックを採用する例は、参照により本明細書に組み込むものとする、米国特許第６，５４３，７９３号および第６，５５４，２９６号に記載されている。
【００６７】
以上、わかりやすくするため、および本考案の範囲を制限することなしに、本実用新案の対象である本考案のハイバックについて、スノーボードと共に使用されるビンディングに関連して具体的に説明してきた。しかし、本考案は、他のタイプの滑走ボードに関連付けて使用可能であることを理解されたい。それ故、本考案では、「滑走ボード」とは、一般に、乗り手が表面を斜滑降できるようにするスノーボード、スノー・スキー、ウォータ・スキー、ウェイク・ボード、サーフ・ボード、および他のボード・タイプ・デバイスなどの地形に沿って滑走するために特別に構成されたボードを言い表す。
【００６８】
本考案の種々の実施形態の上記説明が本考案の単なる例示であることが意図されること、ならびに、本考案の他の実施形態、修正形態、および均等物が、添付の実用新案登録請求の範囲に示された本考案の範囲内にあることを理解されたい。
【図面の簡単な説明】
【００６９】
【図１】本考案の１つの例示的実施形態に従ったハイバックを示す正面斜視図である。
【図２】図１のハイバックを示す分解斜視図である。
【図３】本考案の他の態様に従ったスノーボード・ビンディングの例示的実施形態と組み合わせられた、図１〜図２のハイバックを示す斜視図である。
【図４】図３のスノーボード・ビンディングと組み合わせられた図１〜図２のハイバックを示す背面図である。
【図５】開口部全体にわたるフィラメントなしで示された図１〜図２のハイバックに関する上部フレームを示す正面図である。
【図６】本考案の他の態様に従ったスノーボード・ビンディングの例示的実施形態と組み合わせられた、本考案の他の例示的実施形態に従ったハイバックを示す斜視図である。
【図７】図６のハイバックを示す背面図である。
【図１】
0003139536.tif 000003
【図２】
0003139536.tif 000004
【図３】
0003139536.tif 000005
【図４】
0003139536.tif 000006
【図５】
0003139536.tif 000007
【図６】
0003139536.tif 000008
【図７】
0003139536.tif 000009